(57)【要約】【課題】隣り合う送風ファンへの空気の流入量が不均一となる事態を抑制する。【解決手段】室内機は、隣り合う送風ファン（１３）同士にて回転軸（１３ａ）が互いに連結され、隣り合う送風ファン（１３）同士の間に、空気の流れを隣り合う送風ファン（１３）の一方に向う流れと他方に向う流れとに分離する分離板（３７）を備える。【選択図】図７
2019086168.tif 000002
【特許請求の範囲】
【請求項１】
シロッコファンである複数の送風ファンを備え、前記送風ファンの回転により、空気を吸込口から吸い込み、吹出口から吹き出す空気調和機の室内機において、
前記送風ファンは、隣り合う前記送風ファン同士にて回転軸が互いに連結され、
隣り合う前記送風ファン同士の間には、空気の流れを隣り合う前記送風ファンの一方に向う流れと他方に向う流れとに分離する分離板を備えていることを特徴とする空気調和機の室内機。
【請求項２】
前記送風ファンは軸方向の両側面に空気を取り込む開口部を有し、
前記分離板は、隣り合う前記送風ファンの前記開口部同士を直接対向させない広さの面積を有していることを特徴とする請求項１に記載の空気調和機の室内機。
【請求項３】
前記分離板は、前記回転軸が貫通する貫通穴を有し、前記貫通穴を中心として、上板部と下板部とに分離可能であることを特徴とする請求項１または２に記載の空気調和機の室内機。
【請求項４】
上面部および背面部を有するキャビネットを備え、
前記吸込口は室内機の上部に設けられ、
前記送風ファンは前記キャビネットにより支持され、
前記分離板は、上部が前記上面部の下面と接し、後部が前記背面部の前面と接するように設けられていることを特徴とする請求項１から３のいずれか１項に記載の空気調和機の室内機。
【請求項５】
前記分離板は、前記回転軸が貫通する貫通穴を有し、前記貫通穴の位置から周縁部に向って厚みが漸次薄くなり、かつ前記分離板の両面の前記送風ファンとの対向面は、前記周縁部から前記貫通穴に向うにしたがって、前記開口部との距離が近づくように傾斜していることを特徴とする請求項２に記載の空気調和機の室内機。
【請求項６】
前記分離板は、前記回転軸が貫通する貫通穴を有し、前記分離板の両面の前記送風ファンとの対向面は、凹形状に湾曲し、周縁部から前記貫通穴に向うにしたがって、前記開口部との距離が近づくように傾斜していることを特徴とする請求項２に記載の空気調和機の室内機。
【発明の詳細な説明】
【技術分野】
【０００１】
本発明は、送風ファンを備えた空気調和機の室内機に関する。
【背景技術】
【０００２】
図１０は、従来の２個の送風ファン１０１とファンモータ１０２との配置状態を示す正面図である。図１１は、他の従来の２個の送風ファン１０１とファンモータ１０２との配置状態を示す正面図である。
【０００３】
従来の空気調和機の室内機（以下、単に室内機と称する）では、空調機能等の高機能化のために、図１０および図１１に示すように、シロッコファンからなる複数の送風ファン１０１を備えたものがある。複数の送風ファン１０１は、回転軸と直交する方向において回転軸位置が一致するように回転軸方向へ並べて配置されている。送風ファン１０１は、回転軸方向の両方の側面の開口部１０１ａから空気を吸い込み、吸い込んだ空気を外周面から吹き出すようになっている。
【０００４】
複数の送風ファン１０１を備える室内機は、一般に、高さ方向の寸法を短くし、横方向の寸法を長くする形態が好まれる。このため、図１０に示した例では、２個の送風ファン１０１を回転軸位置（回転軸と垂直な方向の回転軸位置）が一致し、かつ隣り合うように左右に配置し、一方の送風ファン１０１の隣りにファンモータ１０２を配置している。この場合、隣り合う送風ファン１０１の回転軸同士を連結し、ファンモータ１０２の駆動軸をファンモータ１０２に隣り合う送風ファン１０１の回転軸と連結している。
【０００５】
図１１に示した例では、２個の送風ファン１０１を回転軸位置が一致するように左右に配置し、それら送風ファン１０１の間に両軸のモータ１０３を配置している。この場合、モータ１０３の両側の駆動軸は対応する側の送風ファン１０１の回転軸と連結している。
【０００６】
なお、複数の送風ファンを備えた室内機には、特許文献１に開示された構成のものも存在する。
【先行技術文献】
【特許文献】
【０００７】
【特許文献１】特開２０１２−１７９４１号公報
【発明の概要】
【発明が解決しようとする課題】
【０００８】
図１２は、図１０示した２個の送風ファン１０１およびファンモータ１０２をキャビネット１０４の内部に配置し、キャビネット１０４の上面に吸込口１０５が設けられている場合の室内機１１０の構成を示す正面図である。
【０００９】
図１２に示すように、２個の送風ファン１０１を隣同士に配置した場合には、隣り合う送風ファン１０１の開口部１０１ａが直接対向することになる。このため、吸込口１０５から吸い込まれて、隣り合う送風ファン１０１の間を流れる空気は、左右の送風ファン１０１の開口部１０１ａから左右の送風ファン１０１へ均等に流入するとは限らない。すなわち、図１２に示すように、空気は、例えば右側の送風ファン１０１へ多量に流入し、左側の送風ファン１０１へは少量しか流入しないこともある。この場合には、室内機１が吹き出す空気の量が室内機１の左右において不均一になり、安定した空調動作を行うことができないという問題点を有している。
【００１０】
このような問題は、図１１示した２個の送風ファン１０１およびファンモータ１０２をキャビネット１０４の内部に配置した場合には、２個の送風ファン１０１の間にモータ１０３が存在することから幾分緩和されるものの、十分には解消されない。
【００１１】
なお、特許文献１の構成は、２個の送風ファンが個別のダクト内に配置されているので、上記のような問題は生じ難くなっている。しかしながら、特許文献１の構成は、２個の送風ファンは、回転軸方向がキャビネットの吸込口に向って互いに平行となるように設けられ、かつ両ダクトも互いに平行に設けられている。したがって、特許文献１の構成は、複数のシロッコファンの配置形態が、複数のシロッコファンを左右に並べて配置する、という前提となる配置形態と全く異なるので採用することができない。
【００１２】
したがって、本発明の一態様は、複数の送風ファンを左右に並べて配置した構成において、各送風ファンへの空気の流入量が不均一となる事態を抑制することができる空気調和機の室内機の提供を目的としている。
【課題を解決するための手段】
【００１３】
上記の課題を解決するために、本発明の一態様に係る空気調和機の室内機は、シロッコファンである複数の送風ファンを備え、前記送風ファンの回転により、空気を吸込口から吸い込み、吹出口から吹き出す空気調和機の室内機において、
前記送風ファンは、隣り合う前記送風ファン同士にて回転軸が互いに連結され、隣り合う前記送風ファン同士の間には、空気の流れを隣り合う前記送風ファンの一方に向う流れと他方に向う流れとに分離する分離板を備えている。
【発明の効果】
【００１４】
本発明の一態様によれば、隣り合う送風ファン同士で空気の流入量が不均一となる事態を抑制することができるという効果を奏する。
【図面の簡単な説明】
【００１５】
【図１】本発明の実施形態の空気調和機の室内機の外観を示す斜視図である。
【図２】図１に示した空気調和機の室内機の縦断面図である。
【図３】図３の（ａ）は、本実施形態の空気調和機が停止状態である場合の開閉蓋および導風板の状態を説明する室内機の概略の側面図、図３の（ｂ）は、上記空気調和機が空調モードかつ冷房設定の場合の開閉蓋および導風板の状態を説明する室内機の概略の側面図、図３の（ｃ）は、上記空気調和機が空気清浄モードかつ冷房設定の場合の開閉蓋および導風板の状態を説明する室内機の概略の側面図である。
【図４】図１に示した室内機本体部の主要部材の分解斜視図である。
【図５】図４に示した主要部材を組み付けた状態の斜視図である。
【図６】図５に示した状態から、ファンケーシング、送風ファン、仕切部材および熱交換器を取り外した状態の斜視図である。
【図７】図４に示した２個の送風ファン、ファンケーシング、ファンモータおよび分離板の位置関係を示す正面図である。
【図８】本発明の他の実施形態の室内機が備える２個の送風ファン、ファンケーシング、ファンモータおよび分離板の位置関係を示す正面図である。
【図９】本発明のさらに他の実施形態の室内機が備える２個の送風ファン、ファンケーシング、ファンモータおよび分離板の位置関係を示す正面図である。
【図１０】従来の２個のシロッコファンとファンモータとの配置状態を示す正面図である。
【図１１】他の従来の２個のシロッコファンとファンモータとの配置状態を示す正面図である。
【図１２】図１０示した２個のシロッコファンおよびファンモータをキャビネットの内部に配置し、キャビネットの上面に吸込口が設けられている場合の室内機の構成を示す正面図である。
【発明を実施するための形態】
【００１６】
〔実施形態１〕
本発明の実施の形態を図面に基づいて以下に説明する。図１は、本実施形態の空気調和機の室内機１の外観を示す斜視図である。図２は、図１に示した空気調和機の室内機１の縦断面図である。
【００１７】
（室内機１の概要）
図１に示すように、空気調和機の室内機（以下、単に室内機と称する）１は、室内機本体部２の前面に導風板３を備えている。室内機本体部２は、図２に示すように、上部に第１吸込口１１を有し、下部に第２吸込口１２を有し、内部に送風ファン１３および熱交換器１４を有し、前部に吹出口１７を有している。
【００１８】
また、室内機１は、第１吸込口１１の内側（下側）に第１フィルタ１５を有し、第２吸込口１２の内側（上側）に第２フィルタ１６を有している。第１フィルタ１５は、例えばプレフィルタに相当する機能を有するフィルタであり、第２フィルタ１６よりも低性能であり、第２フィルタ１６よりも通風抵抗が小さいフィルタである。第２フィルタ１６は、例えばＨＥＰＡフィルタ(High Efficiency Particulate Air Filter)であり、第１フィルタ１５よりも高性能であり、第１フィルタ１５よりも通風抵抗が大きいフィルタである。
【００１９】
室内機１では、第１吸込口１１から吸い込まれた空気は、第１フィルタ１５、送風ファン１３および熱交換器１４を経て吹出口１７から吹き出される。また、第２吸込口１２から吸い込まれた空気は、第２フィルタ１６、送風ファン１３および熱交換器１４を経て吹出口１７から吹き出される。
【００２０】
第１吸込口１１には、第１吸込口１１を開閉する開閉蓋１８が設けられている。図３の（ａ）は、空気調和機が停止状態である場合の開閉蓋１８および導風板３の状態を説明する室内機１の概略の側面図、図３の（ｂ）は、空気調和機が空調モードかつ冷房設定の場合の開閉蓋１８および導風板３の状態を説明する室内機１の概略の側面図、図３の（ｃ）は、空気調和機が空気清浄モードかつ冷房設定の場合の開閉蓋１８および導風板３の状態を説明する概略の側面図である。
【００２１】
開閉蓋１８は、図３の（ａ）に示すように、空気調和機の運転停止時には閉状態である。また、開閉蓋１８は、図３の（ｂ）に示すように、空気調和機を空気清浄機能よりも空気調和機能を優先して運転する場合（空調モードの場合）に開状態となる。さらに、開閉蓋１８は、図３の（ｃ）に示すように、空気調和機を空気調和機能よりも空気清浄機能を優先して運転する場合（空気清浄モードの場合）に閉状態となる。
【００２２】
送風ファン１３はシロッコファンからなる。熱交換器１４は、２個の熱交換器を上下に連結し、連結部が前方へ突出した形態（くの字形）である。
【００２３】
（室内機本体部２の構造）
図４は、図１に示した室内機本体部２の主要部材の分解斜視図である。図５は、図４に示した主要部材を組み付けた状態の斜視図である。図６は、図５に示した状態から、ファンケーシング３２、送風ファン１３、仕切部材３３および熱交換器１４を取り外した状態の斜視図である。
【００２４】
図４に示すように、室内機本体部２は、キャビネット３１、ファンケーシング３２、送風ファン１３、仕切部材３３、熱交換器１４およびドレンパン３４を備えている。
【００２５】
キャビネット３１は、室内機１の後部に設けられ、ファンケーシング３２、送風ファン１３、仕切部材３３、熱交換器１４およびドレンパン３４を支持する。
【００２６】
キャビネット３１は、図４から図６に示すように、上面部４１と背面部４２とを有し、上面部４１は第１吸込口１１を有している。
【００２７】
キャビネット３１の内部の空間には、ファンケーシング３２が設けられ、ファンケーシング３２の内部には送風ファン１３が配置されている。ファンケーシング３２は、左側に１個、右側に１個、合計２個設けられ、各ファンケーシング３２内にそれぞれ送風ファン１３が配置されている。送風ファン１３は中心部に回転軸１３ａを有し、隣り合う送風ファン１３の回転軸１３ａは互いに連結されている。したがって、隣り合う送風ファン１３の回転軸１３ａの位置は、回転軸１３ａと垂直方向において一致している。右側の送風ファン１３から右側に突出する回転軸１３ａは、ファンモータ３８の駆動軸３８ａ（図７参照）と連結されており、２個の送風ファン１３は１個のファンモータ３８に駆動されて回転する。
【００２８】
送風ファン１３は、軸方向の両方の側面に開口部１３ｂを有し、回転軸１３ａから空気を吸い込み、吸い込んだ空気を外周面から吹き出す。したがって、ファンケーシング３２には、送風ファン１３の開口部１３ｂと対向する位置に開口部３２ｂが形成されている。
【００２９】
ドレンパン３４は、キャビネット３１の前端部とねじにて連結され、キャビネット３１にて支持されている。ドレンパン３４にはドレンパイプ３５が接続されており、熱交換器１４にて生じた水は、ドレンパン３４にて受け止められ、ドレンパイプ３５を通じて排出される。仕切部材３３は、キャビネット３１の前方位置かつドレンパン３４の上に配置され、キャビネット３１の前端部と連結され、キャビネット３１にて支持されている。熱交換器１４は、仕切部材３３の前に設けられ、仕切部材３３に固定されている。
【００３０】
（分離板３７の構成）
隣り合う送風ファン１３の間、すなわち隣り合うファンケーシング３２の間には、分離板３７が設けられている。分離板３７は、送風ファン１３の回転軸１３ａが通る貫通穴３７ａを有し、貫通穴３７ａを中心として上板部３７ｂと下板部３７ｃとに分離可能となっている。
【００３１】
上述した２個の送風ファン１３、ファンケーシング３２、ファンモータ３８および分離板３７の位置関係をこれらのみに注目して示すと図７に示すようになる。図７は、２個の送風ファン１３、ファンケーシング３２、ファンモータ３８および分離板３７の位置関係を示す正面図である。
【００３２】
本実施形態において、分離板３７の上板部３７ｂは、ねじによってキャビネット３１の上面部４１に取り付けられ、下板部３７ｃは、上板部３７ｂに嵌合できる構造となっている。分離板３７は、キャビネット３１の上面部４１、背面部４２および仕切部材３３と接している。なお、分離板３７は、少なくともキャビネット３１の上面部４１および背面部と接していればよい。また、上板部３７ｂおよび下板部３７ｃの取り付け構造は、上板部３７ｂと下板部３７ｃとを合わせて分離板３７を形成でき、かつ下板部３７ｃをキャビネット３１の下方へ取り出せる構造であればどのようなものであってもよい。  
【００３３】
（室内機の動作）
上記の構成において、本実施形態の室内機１の動作について説明する。例えば、空調モードの冷房運転の場合には、図３の（ｂ）に示すように、開閉蓋１８および導風板３が開状態となり、ファンモータ３８が回転し、送風ファン１３が回転する。これにより、第１吸込口１１および第２吸込口１２から室内機本体部２内へ空気が吸い込まれ、吸い込まれた空気は、送風ファン１３によって熱交換器１４に吹き付けられ、熱交換器１４を通過して冷却された後、吹出口１７から吹き出される。
【００３４】
ただし、空調モードでは、第１吸込口１１の開閉蓋１８が開状態であり、第１吸込口１１の第１フィルタ１５は、第２吸込口１２の第２フィルタ１６よりも通風抵抗が小さいので、外部の空気は主に第１吸込口１１から吸い込まれる。
【００３５】
ここで、左側の送風ファン１３（ファンケーシング３２）と右側の送風ファン１３（ファンケーシング３２）との間には、分離板３７が設けられており、隣り合う送風ファン１３の開口部１３ｂ同士は直接対向しないようになっている。
【００３６】
したがって、第１吸込口１１から室内機本体部２の内部に吸い込まれた空気は、図７に示すように、分離板３７によって、左側の送風ファン１３に向う流れと、右側の送風ファン１３に向う流れとに分離される。また、第２吸込口１２から吸い込まれた空気についても、同様に、分離板３７によって、左側の送風ファン１３に向う流れと、右側の送風ファン１３に向う流れとに分離される。
【００３７】
分離板３７によって分離された空気は、各送風ファン１３の開口部１３ｂから各送風ファン１３の内部へ取り込まれ、各送風ファン１３の外周部から吹き出される。これにより、吹出口１７から吹き出される空気の吹出し量が室内機１の右側と左側とで不均一となる事態を抑制することができる。
【００３８】
なお、室内機１の上記の動作は、空調モードの暖房運転および除湿運転、送付モードでの運転の場合にも同様である。
【００３９】
また、空気清浄モードでは、開閉蓋１８が閉じられ、空気は第２吸込口１２のみから吸い込まれるものの、分離板３７を備えたことによる動作は、上記の空調モード等の場合と同様である。
【００４０】
（分離板３７を有する室内機の利点）
本実施形態の室内機１では、隣り合う送風ファン１３（ファンケーシング３２）の間に分離板３７を設け、隣り合う送風ファン１３の開口部１３ｂ同士が直接対向しないようにしている。これにより、隣り合う送風ファン１３の間の空気の流れを分離板３７により分離し、隣り合う送風ファン１３同士で空気の流入量が不均一となる事態を抑制することができる。この結果、室内機１から吹き出す風量が室内機１の左右にて不均一になる事態を抑制することができる。
【００４１】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００４２】
（分離板５１の構成）
図８は、本実施形態の室内機１が備える２個の送風ファン１３、ファンケーシング３２、ファンモータ３８および分離板５１の位置関係を示す正面図である。
【００４３】
本実施形態の室内機１は、前記分離板３７に代えて分離板５１を備えている。図８に示すように、送風ファン１３、ファンケーシング３２、ファンモータ３８および分離板５１の位置関係は、図７に示した分離板３７を備えた構成の場合と同様である。また、分離板５１が貫通穴５１ａ、上板部５１ｂおよび下板部５１ｃを有する点、分離板５１のキャビネット３１に対する取り付け構造、分離板５１と仕切部材３３との関係は、分離板３７の場合と同様である。
【００４４】
前記分離板３７は、貫通穴３７ａの位置から（貫通穴３７ａが形成されている例えば中心部から）周縁部に亘って厚みが均一の平板形状となっていた。これに対し、分離板５１は、貫通穴５１ａの位置から（貫通穴５１ａが形成されている例えば中心部から）周縁部に向って厚みが漸次薄くなり、厚みの変化が直線状となっている。また、分離板５１の両面の各送風ファン１３との対向面は、分離板５１の上記の厚みの変化により、周縁部から貫通穴５１ａに向うにしたがって、送風ファン１３の開口部１３ｂとの距離が近づくように傾斜している。
【００４５】
分離板５１は、隣り合う送風ファン１３の間の空気の流れを分離するという基本的な機能は分離板３７と同じであるものの、分離板３７との形状の相違によって、下記のように、分離板３７とは異なる機能を有している。
【００４６】
（分離板５１を有する室内機の利点）
本実施形態の室内機１では、分離板５１を備えていることにより、分離板３７を備えている室内機１と同様、隣り合う送風ファン１３同士で空気の流入量が不均一となる事態を抑制し、室内機１から吹き出す風量が室内機１の左右にて不均一になる事態を抑制することができる。
【００４７】
また、室内機１は、隣り合う送風ファン１３の間の空気の流れを分離板５１により分離し、かつ分離した空気を、分離板５１の各送風ファン１３との対向面の傾斜により、各送風ファン１３の開口部１３ｂに円滑に案内することができる。
【００４８】
〔実施形態３〕
（分離板５２の構成）
図９は、本実施形態の室内機１が備える２個の送風ファン１３、ファンケーシング３２、ファンモータ３８および分離板５２の位置関係を示す正面図である。
【００４９】
本実施形態の室内機１は、前記分離板３７に代えて分離板５２を備えている。図９に示すように、送風ファン１３、ファンケーシング３２、ファンモータ３８および分離板５２の位置関係は、図７に示した分離板３７を備えた構成の場合と同様である。また、分離板５２が貫通穴５２ａ、上板部５２ｂおよび下板部５２ｃを有する点、分離板５２のキャビネット３１に対する取り付け構造、分離板５２と仕切部材３３との関係は、分離板３７の場合と同様である。
【００５０】
前記分離板３７は、貫通穴３７ａの位置から（貫通穴３７ａが形成されている例えば中心部から）周縁部に亘って厚みが均一の平板形状となっていた。これに対し、分離板５２は、貫通穴５２ａの位置から（貫通穴５２ａが形成されている例えば中心部から）周縁部に向って厚みが漸次薄くなり、かつ分離板５２の両面の送風ファン１３との対向面は、周縁部から貫通穴５２ａに向うにしたがって、送風ファン１３の開口部１３ｂとの距離が近づくように凹形状に湾曲している。
【００５１】
分離板５２は、隣り合う送風ファン１３の間の空気の流れを分離するという基本的な機能は分離板３７と同じであるものの、分離板３７との形状の相違によって、下記のように、分離板３７とは異なる機能を有している。
【００５２】
（分離板５１を有する室内機の利点）
本実施形態の室内機１では、分離板５２を備えていることにより、分離板３７を備えている室内機１と同様、隣り合う送風ファン１３同士で空気の流入量が不均一となる事態を抑制し、室内機１から吹き出す風量が室内機１の左右にて不均一になる事態を抑制することができる。
【００５３】
また、室内機１は、隣り合う送風ファン１３の間の空気の流れを分離板５２により分離し、かつ分離した空気を、分離板５１の各送風ファン１３との対向面の傾斜した凹形状により、各送風ファン１３の開口部１３ｂに円滑に案内することができる。
【００５４】
〔まとめ〕
本発明の態様１に係る空気調和機の室内機は、シロッコファンである複数の送風ファン１３を備え、前記送風ファン１３の回転により、空気を吸込口（第１吸込口１１，第２吸込口１２）から吸い込み、吹出口１７から吹き出す空気調和機の室内機において、前記送風ファン１３は、隣り合う前記送風ファン１３同士にて回転軸１３ａが互いに連結され、隣り合う前記送風ファン１３同士の間には、空気の流れを隣り合う前記送風ファン１３の一方に向う流れと他方に向う流れとに分離する分離板３７，５１，５２を備えている。
【００５５】
上記の構成によれば、吸込口から吸い込まれて隣り合う送風ファンの間を流れる空気は、分離板３７，５１，５２によって、一方の送風ファン１３に向う流れと、他方の送風ファン１３に向う流れとに分離される。分離板３７，５１，５２によって分離された空気は、各送風ファン１３の開口部１３ｂから各送風ファン１３の内部へ取り込まれ、各送風ファン１３の外周部から吹き出される。これにより、隣り合う送風ファン１３同士で空気の流入量が不均一となる事態を抑制することができる。この結果、室内機から吹き出す風量が室内機の左右にて不均一になる事態を抑制することができる。
【００５６】
本発明の態様２に係る空気調和機の室内機は、上記態様１において、前記送風ファン１３は軸方向の両側面に空気を取り込む開口部１３ｂを有し、前記分離板３７，５１，５２は、隣り合う前記送風ファン１３の前記開口部１３ｂ同士を直接対向させない広さの面積を有している構成としてもよい。
【００５７】
上記の構成によれば、分離板３７，５１，５２は、隣り合う送風ファン１３の開口部１３ｂ同士を直接対向させない広さの面積を有しているので、隣り合う送風ファン１３同士で空気の流入量が不均一となる事態を確実に抑制することができる。
【００５８】
本発明の態様３に係る空気調和機の室内機は、上記態様１または２において、前記分離板３７，５１，５２は、前記回転軸１３ａが貫通する貫通穴３７ａ，５１ａ，５２ａを有し、前記貫通穴３７ａ，５１ａ，５２ａを中心として、上板部３７ｂ，５１ｂ，５２ｂと下板部３７ｃ，５１ｃ，５２ｃとに分離可能である構成としてもよい。
【００５９】
上記の構成によれば、分離板３７は、回転軸１３ａが貫通する貫通穴３７ａ，５１ａ，５２ａを有し、貫通穴３７ａ，５１ａ，５２ａを中心として、上板部３７ｂ，５１ｂ，５２ｂと下板部３７ｃ，５１ｃ，５２ｃとに分離可能である。これにより、回転軸１３ａが貫通する分離板３７，５１，５２を備えていても、分離板３７，５１，５２の上板部３７ｂ，５１ｂ，５２ｂから分離板３７，５１，５２の下板部３７ｃ，５１ｃ，５２ｃを分離させることにより、送風ファン１３を下方へ取り外すことができる。
【００６０】
本発明の態様４に係る空気調和機の室内機は、上記態様１から３のいずれか１態様において、上面部４１および背面部４２を有するキャビネット３１を備え、前記吸込口（第１吸込み口１１）は室内機の上部に設けられ、前記送風ファン１３は前記キャビネット３１により支持され、前記分離板３７，５１，５２は、上部が前記上面部４１の下面と接し、後部が前記背面部４２の前面と接するように設けられている構成としてもよい。
【００６１】
上記の構成によれば、分離板３７，５１，５２は、上部がキャビネット３１の上面部の下面と接し、後部がキャビネット３１の背面部４２の前面と接するように設けられている。
【００６２】
これにより、分離板３７，５１，５２は、室内機の上部の吸込口から吸い込まれた空気の流れを隣り合う送風ファン１３の一方に向う流れと他方に向う流れとに確実に分離することができる。
【００６３】
本発明の態様５に係る空気調和機の室内機は、上記態様２において、前記分離板５１は、前記回転軸１３ａが貫通する貫通穴５１ａを有し、前記貫通穴５１ａの位置から周縁部に向って厚みが漸次薄くなり、かつ前記分離板５１の両面の前記送風ファン１３との対向面は、前記周縁部から前記貫通穴５１ａに向うにしたがって、前記開口部１３ｂとの距離が近づくように傾斜している構成としてもよい。
【００６４】
上記の構成によれば、分離板５１は、隣り合う送風ファン１３の間の空気の流れを、隣り合う送風ファン１３の一方に向う流れと他方に向う流れとに分離し、かつ分離した空気を各送風ファン１３の開口部１３ｂに円滑に案内することができる。これにより、各送風ファン１３は、開口部１３ｂからの空気の取り込みを円滑に行うことができる。
【００６５】
本発明の態様６に係る空気調和機の室内機は、上記態様２において、前記分離板５２は、前記回転軸１３ａが貫通する貫通穴５２ａを有し、前記分離板５２の両面の前記送風ファン１３との対向面は、凹形状に湾曲し、周縁部から前記貫通穴５２ａに向うにしたがって、前記開口部１３ｂとの距離が近づくように傾斜している構成としてもよい。
【００６６】
上記の構成によれば、分離板５２は、隣り合う送風ファン１３の間の空気の流れを、隣り合う送風ファン１３の一方に向う流れと他方に向う流れとに分離し、かつ分離した空気を各送風ファン１３の開口部１３ｂに円滑に案内することができる。これにより、各送風ファン１３は、開口部１３ｂからの空気の取り込みを円滑に行うことができる。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６８】
１    室内機
２    室内機本体部
３    導風板
１１    第１吸込口
１２    第２吸込口
１３    送風ファン
１３ａ  回転軸
１３ｂ  開口部
１４    熱交換器
１５    第１フィルタ
１６    第２フィルタ
１７    吹出口
１８    開閉蓋
３１    キャビネット
３２    ファンケーシング
３２ｂ    開口部
３３    仕切部材
３７，５１，５２    分離板
３７ａ，５１ａ，５２ａ    貫通穴
３７ｂ，５１ｂ，５２ｂ    上板部
３７ｃ，５１ｃ，５２ｃ    下板部
３８    ファンモータ
【図１】
2019086168.tif 000003
【図２】
2019086168.tif 000004
【図３】
2019086168.tif 000005
【図４】
2019086168.tif 000006
【図５】
2019086168.tif 000007
【図６】
2019086168.tif 000008
【図７】
2019086168.tif 000009
【図８】
2019086168.tif 000010
【図９】
2019086168.tif 000011
【図１０】
2019086168.tif 000012
【図１１】
2019086168.tif 000013
【図１２】
2019086168.tif 000014